(57)【要約】【課題】本発明は、不連続サービスエリアネットワークに接続されたモバイル端末に、ストリーミングデータトラフィックに適合した伝送リンクを提供する方法およびシステムを提供する。【解決手段】前記方法は、プロキシ装置内３で前記モバイル端末１向けのストリーミングデータを受信し格納するためのキャッシュまたはバッファ手段４を含む前記プロキシ装置３を設けるステップと、ストリーミングデータを要求する前記端末からのサービス要求があると、前記プロキシ装置３と前記モバイル端末１の間でストリーミング接続またはセッションを確立するステップと、前記モバイル端末が前記不連続サービスエリアネットワーク２のサービスエリア内にあること、及び／又はそれに接続されていることが検出されたときに、ストリーミングデータを前記プロキシ装置３から前記モバイル端末１に転送するステップとを含むことを特徴とする。【選択図】      図１
2006033818.tif 000002
【特許請求の範囲】
【請求項１】
不連続サービスエリアネットワークに接続されたモバイル端末に、ストリーミングデータトラフィックに適合した伝送リンクを提供するための方法であって、
プロキシ装置内（３）で前記モバイル端末（１）向けのストリーミングデータを受信し格納するためのキャッシュまたはバッファ手段（４）を含む前記プロキシ装置（３）を設けるステップと、
ストリーミングデータを要求する前記端末からのサービス要求があると、前記プロキシ装置（３）と前記モバイル端末（１）の間でストリーミング接続またはセッションを確立するステップと、
前記モバイル端末が前記不連続サービスエリアネットワーク（２）のサービスエリア内にあること、及び／又はそれに接続されていることが検出されたときに、ストリーミングデータを前記プロキシ装置（３）から前記モバイル端末（１）に転送するステップとを含むことを特徴とする方法。
【請求項２】
モバイル端末（１）によって送信された、ストリーミングデータを要求するサービス要求がプロキシ装置（３）によって受信されたときに、このプロキシ装置が、要求されたサービスを提供するサーバ（５）との連続したデータおよびシグナリング伝送リンク、及び前記モバイル端末（１）との不連続なデータ伝送リンクを確立することを特徴とする請求項１に記載の方法。
【請求項３】
モバイル端末（１）が少なくとも２つの異なる通信インターフェース（６、８）を含み、少なくとも１つの通信インターフェース（６）が、連続したサービスエリアを有するネットワーク（７）にそれが接続されることを可能にし、そして少なくとも１つの他の通信インターフェース（８）が、不連続なサービスエリアを有するネットワーク（２）にそれが接続されることを可能にし、対応する適合した通信インターフェース（６、８）を使用することによって、モバイル端末（１）によるサービスの設定および制御が、連続したサービスエリアを有するネットワーク（７）を介して実行され、そしてストリーミングデータ伝送が、不連続なサービスエリアを有するネットワーク（２）を介して実行されることを特徴とする請求項１または２に記載の方法。
【請求項４】
考慮されたサーバ（５）とモバイル端末（１）の間のストリーミングデータ伝送のための伝送リンクを確立するために、モバイル端末が、前記プロキシ装置（３）と前記考慮されたサーバ（５）の間の連続したＲＴＰ伝送リンク、および前記プロキシ装置（３）と前記モバイル端末（１）の間のストリーミングデータ伝送のための不連続な伝送リンクを確立するためにプロキシ装置（３）によってインターセプトされ修正されるＲＴＳＰ設定メッセージを前記サーバ（５）に向けて送信することを特徴とする請求項２および３のうちの一項に記載の方法。
【請求項５】
モバイル端末（１）とプロキシ装置（３）の間の伝送リンクが、前記モバイル端末（１）からのＲＴＳＰメッセージ、およびその不連続な相互接続の特殊性を考慮することによって管理されることを特徴とする請求項４に記載の方法。
【請求項６】
モバイル端末（１）によるＲＴＳＰ設定メッセージの送信の前に、考慮されたサーバ（５）が、ストリーミングセッション記述データをモバイル端末（１）に送信し、前記記述データが、不連続ネットワーク（２）上の適合したリソースを予約し、そして不連続伝送リンクに必要な手段を設定するためにプロキシ装置（３）によって記録されることを特徴とする請求項４または５に記載の方法。
【請求項７】
不連続サービスエリアネットワークに属するモバイル端末にストリーミングサービスを提供する方法であって、前記モバイル端末（１）からの各ストリーミングサービス要求があると、請求項１から６のいずれか一項に記載の方法を使用することによって、前記端末（１）と関係ストリーミングサーバ（５）の間の伝送リンクまたは接続を提供することを特徴とする方法。
【請求項８】
サーバと、不連続サービスエリアネットワークに接続されまたはそれに属するモバイル端末との間のストリーミングデータトラフィックに適合した伝送リンクを提供できる通信システムであって、プロキシ装置（３）を含み、前記プロキシ装置（３）は前記装置内で前記モバイル端末（１）向けのストリーミングデータを受信し格納するためのキャッシュまたはバッファ手段（４）を含み、前記プロキシ装置（３）は、ｉ）ストリーミングデータを要求する前記端末からのサービス要求があると、前記プロキシ装置（３）と前記モバイル端末（１）の間でストリーミング接続またはセッションを確立し、ｉｉ）前記モバイル端末（１）が前記不連続サービスエリアネットワーク（２）のサービスエリア内にあること及び／又はそれに接続されていることが検出されるときに、前記モバイル端末（１）にストリーミングデータを転送することができることを特徴とする通信システム。
【請求項９】
請求項１から６のいずれか一項に記載の方法を実施できることを特徴とする請求項８に記載の通信システム。
【発明の詳細な説明】
【技術分野】
【０００１】
本発明は、通信の分野に関し、特に、通信ネットワークに接続可能なモバイル端末を介して使用可能なサービスに関する。
【０００２】
本発明は、より具体的には、ストリーミングデータ伝送の提供を可能にする方法およびシステム、特にストリーミングサーバからのモバイル端末に対する関連サービスに関する。
【背景技術】
【０００３】
不連続なサービスエリアのネットワーク（「インフォステーション」システムとしても知られている）では、（モバイル端末で特定のサービスを提供するのに必要な）ダウンストリームのデータフローは、接続の特定の性質を考慮することによって管理され、処理される。
【０００４】
したがって、ストリーミングサービスが考慮される場合、それは、ストリーミングサーバがその特定の状況に従って、それぞれのモバイル端末について異なるやり方でデータを不連続に配信する能力を有しなければならないことを意味する。
【０００５】
実際に、従来のストリーミングサーバは、多くてメディアのビットレートでデータを定期的に配信する。実際にこれは、特に「時間的に交互の」又は「ライブイベント」セッションなどのマルチキャストセッションでは、一般に必須である。実際に、こうしたマルチキャストセッションでは、サーバは、その動作を特定のユーザに適応させることができない。
【０００６】
ＲＴＰ（リアルタイムトランスポートプロトコル）規格は、ユーザが利用し得る帯域幅に応じて特定ユーザのデータフローのスループットを適応させるために、ソース符号化を「ユーザ単位にカスタマイズする」役割を担う「トランスレータ機能」を定義している。
【０００７】
しかし、この知られている機能は、ユーザ接続性の不連続な側面、ならびに提供されるサービスの品質および連続性に対するその影響に対処していない。
【０００８】
米国特許出願公開２００３／０２３６９０５号明細書は、固定端末についてのストリーミングデータのシナリオにおいて、切断された接続から自動的に回復するためのシステムおよび方法を開示している。ストリーミングが中断される場合、サーバソフトウェアおよびクライアントソフトウェアは、メッセージを交換して、クライアントを、サーバ内に格納されたクライアント状態に関連付け、そしてコンテンツの再生を再同期する。
【０００９】
Ｚｕｅｎｄｔ他の文書「Ｓｅａｍｌｅｓｓ  ｈａｎｄｏｆｆ  ｉｎ  ｃｏｍｍｕｎｉｔｙ  ｂａｓｅｄ  ａｎｄ  ｌｏｃａｔｉｏｎ  ａｗａｒｅ  ｈｅｔｅｒｏｇｅｎｅｏｕｓ  ｗｉｒｅｌｅｓｓ  ｎｅｔｗｏｒｋｓ」、Ｉｎｔｅｒｎａｔｉｏｎａｌ  Ｗｏｒｋｓｈｏｐ  ｏｎ  ｍｏｂｉｌｅ  ｍｕｌｔｉｍｅｄｉａ  ｃｏｎｆｅｒｅｎｃｅ、１〜５頁には、ＷＬＡＮホットスポットのサービスエリアゾーンを離れて別のホットスポットに入るモバイルユーザを、それが新しいホットスポットゾーンに入ったことが検出されるとすぐに再接続する方法が開示されている。
【００１０】
この再接続は、モバイルユーザの位置情報を提供するＧＰＲＳを介して制御される。こうした位置情報は、ホットスポットサービスエリアの位置情報にマップされ得る。
【特許文献１】米国特許出願公開番号２００３／０２３６９０５号明細書
【非特許文献１】Ｚｕｅｎｄｔ他、「Ｓｅａｍｌｅｓｓ  ｈａｎｄｏｆｆ  ｉｎ  ｃｏｍｍｕｎｉｔｙ  ｂａｓｅｄ  ａｎｄ  ｌｏｃａｔｉｏｎ  ａｗａｒｅ  ｈｅｔｅｒｏｇｅｎｅｏｕｓ  ｗｉｒｅｌｅｓｓ  ｎｅｔｗｏｒｋｓ」、Ｉｎｔｅｒｎａｔｉｏｎａｌ  Ｗｏｒｋｓｈｏｐ  ｏｎ  ｍｏｂｉｌｅ  ｍｕｌｔｉｍｅｄｉａ  ｃｏｎｆｅｒｅｎｃｅ、１〜５頁
【発明の開示】
【発明が解決しようとする課題】
【００１１】
本発明の主な目的は、従来技術の上記欠点および制約を克服することである。
【課題を解決するための手段】
【００１２】
このために、本発明はまず、不連続サービスエリアネットワークに接続されたモバイル端末に、ストリーミングデータトラフィックに適合した伝送リンクを提供するための方法であって、
プロキシ装置内で前記モバイル端末向けのストリーミングデータを受信し格納するためのキャッシュまたはバッファ手段を含む前記プロキシ装置を設けるステップと、
ストリーミングデータを要求する前記端末からのサービス要求があると、前記プロキシ装置と前記モバイル端末の間でストリーミング接続またはセッションを確立するステップと、
前記モバイル端末が前記不連続サービスエリアネットワークのサービスエリア内にあること、及び／又はそれに接続されていることが検出されたときに、ストリーミングデータを前記プロキシ装置から前記モバイル端末に転送するステップとを含むことを特徴とする方法に関する。
【００１３】
本発明の主な特徴によれば、モバイル端末によって送信された、ストリーミングデータを要求するサービス要求がプロキシ装置によって受信されたときに、このプロキシ装置が、要求されたサービスを提供するサーバとの連続的したデータおよびシグナリング伝送リンク、及び前記モバイル端末との不連続なデータ伝送リンクを確立する。
【００１４】
したがって、本発明の基本的な考えは、ストリーミングサーバとモバイル端末の間のパスにプロキシ装置を置くことである。プロキシ装置は、サーバによって、連続的に接続されたモバイル端末と見なされる。同じプロキシ装置は、モバイル端末によって、それに専用のストリーミングサーバであり、その必要性に適合した不連続なフローを提供できるものと見なされる。
【００１５】
このプロキシ装置は、ストリーミングサーバからのデータを不連続にモバイル端末に転送する前に、そのデータを格納するためのキャッシュ機能を含む。
【００１６】
本発明の追加の有利な特徴および実施形態について、従属クレーム３から６において述べる。
【００１７】
本発明は、不連続サービスエリアネットワークに属するモバイル端末にストリーミングサービスを提供する方法であって、前記モバイル端末からの各ストリーミングサービス要求があると、上記で述べた、不連続な伝送条件でストリーミング伝送を提供するための方法を使用することによって、前記端末と関係ストリーミングサーバの間の伝送リンクまたは接続を提供することを特徴とする方法にも関する。
【００１８】
さらに、本発明は、サーバと、不連続サービスエリアネットワークに接続されまたはそれに属するモバイル端末との間のストリーミングデータトラフィックに適合した伝送リンクを提供できる通信システムであって、プロキシ装置を含み、前記プロキシ装置は前記装置内で前記モバイル端末向けのストリーミングデータを受信し格納するためのキャッシュまたはバッファ手段を含み、前記プロキシ装置は、ｉ）ストリーミングデータを要求する前記端末からのサービス要求があると、前記プロキシ装置と前記モバイル端末の間でストリーミング接続またはセッションを確立し、ｉｉ）前記モバイル端末が前記不連続サービスエリアネットワークのサービスエリア内にあること及び／又はそれに接続されていることが検出されるときに、前記モバイル端末にストリーミングデータを転送することができることを特徴とする通信システムをも包含する。
【００１９】
本発明は、その非限定的な一例として示された、前記発明の一実施形態についての以下の説明および図面によって、よりよく理解されよう。
【発明を実施するための最良の形態】
【００２０】
本発明によれば、不連続サービスエリアネットワーク２に接続されたモバイル端末１に、ストリーミングデータトラフィックに適合した伝送リンクを提供できるようにする方法およびシステムが提案される。
【００２１】
そのために、プロキシ装置３が設けられ、前記プロキシ装置３は、前記装置で前記モバイル端末１向けのストリーミングデータを受信し格納するためのキャッシュまたはバッファ手段４を含み、前記プロキシ装置３は、
ｉ）ストリーミングデータを求める前記端末からのサービス要求があると、プロキシ装置３と前記モバイル端末１の間でストリーミング接続またはセッションを確立し、
ｉｉ）このモバイル端末が前記不連続サービスエリアネットワーク２のサービスエリア内にあること及び／またはそれに接続されていることが検出されたときに、前記モバイル端末１にストリーミングデータを転送することができる。
【００２２】
好ましくは、モバイル端末１は、少なくとも２つの異なる通信インターフェース６、８を含み、少なくとも１つの通信インターフェース６が、連続したサービスエリアを有するネットワーク７にそれが接続されることを可能にし、そして、少なくとも１つの他の通信インターフェース８が、不連続なサービスエリアを有するネットワーク２にそれが接続されることを可能にし、対応する適合した通信インターフェース６、８を使用することによって、モバイル端末１によるサービスの設定および制御が、連続したサービスエリアを有するネットワーク７を介して実施され、ストリーミングデータ伝送が、不連続なサービスエリアを有するネットワーク２を介して実施される。
【００２３】
モバイル端末１によって送信された、ストリーミングデータを求めるサービス要求がプロキシ装置３によって受信されるときに、このプロキシ装置３は、適したプロトコルに基づく、要求されたサービスを提供するサーバ５との連続したデータおよびシグナリングリンク伝送リンク、ならびに前記モバイル端末１との不連続なデータ伝送リンクを確立する。
【００２４】
本発明の可能な一実施形態によれば、無線通信ネットワークと関係サーバの間のインターネットプロトコル接続性に関連する前記無線通信ネットワークに関連して、モバイル端末１は、考慮されたサーバ５とモバイル端末１の間のストリーミングデータ伝送のための伝送リンクを確立するために、送信し、このモバイル端末１は、前記サーバ５に向けてＲＴＳＰ設定メッセージを送信し、このＲＴＳＰメッセージは、前記プロキシ装置３と前記考慮されたサーバ５の間の連続したＲＴＰ伝送リンク、および前記プロキシ装置３と前記モバイル端末１の間のストリーミングデータ伝送のための不連続な伝送リンクを確立するために、プロキシ装置３によってインターセプトされ、修正される。
【００２５】
その後、モバイル端末１とプロキシ装置３の間の伝送リンクは、前記モバイル端末１からのＲＴＳＰメッセージ、およびその不連続な相互接続の特殊性を考慮することによって管理される。
【００２６】
好ましくは、モバイル端末１によるＲＴＳＰ設定メッセージの送信の前に、考慮されたサーバ５は、不連続ネットワーク２上の適したリソースを予約し、そして不連続伝送リンクに必要な手段を設定するために前記プロキシ装置３によって記録されるストリーミングセッション記述データをモバイル端末１に送信する。
【００２７】
本発明について、本明細書中で上述した方法を実施することができるシステムに基づいて、添付の図１および２に関連した例を用いて以下により明確に述べる。
【００２８】
図１および２に示す実施形態では、モバイル端末１は、２つのインターフェース６および８を含み、一方が、連続したサービスエリアを有する３Ｇネットワーク７に向けたものであり、他方が、不連続なサービスエリアを有する４Ｇネットワーク２に向けたものである。
【００２９】
モバイル端末１は、使用可能なストリーミングサービスをブラウズし選択し、その後、ＨＴＴＰ（ハイパーテキスト転送プロトコル）およびＲＴＳＰ（リアルタイムストリーミングプロトコル）を使用して前記３Ｇネットワーク７を介してこのサービスの配信を制御する。
【００３０】
モバイル端末１は、トラフィックの不連続な性質に適合した特定のトランスポートプロトコルを使用した４Ｇネットワーク２を介して、ストリーミングサービスに関する前記トラフィックを受信する（図１で、ＧＧＳＮは、「ゲートウェイＧＰＲＳサポートノード」を表す）。
【００３１】
ＲＴＳＰ設定メッセージは、ストリーミングトラフィックをサポートするＲＴＰセッションを確立するために使用される。モバイル端末１が関係サーバ５にこうしたメッセージを送信するときに、キャッシュ機能を備えるプロキシ装置３は、ＲＴＰセッションがモバイル端末１とサーバ５の間で確立されるのではなく、前記装置３とサーバ５の間で確立されるように、それをインターセプトし、修正する。
【００３２】
このメッセージの前に、何らかのストリーミングセッション記述が、サーバ５によってモバイル端末１に（典型的にはＳＤＰ−セッション記述プロトコルを介して）送信される。プロキシ装置３は、たとえば、４Ｇネットワーク２上のリソース予約のために、こうした情報を記録する。
【００３３】
可能であれば（モバイル端末１がホットスポット内にあり、十分な量のストリーミングデータがプロキシ装置３内にキャッシュされている）、装置３および端末１は、ストリーミングデータの不連続な配信のための４Ｇトランスポートパスを確立する。
【００３４】
セッションの全継続時間を通じて、プロキシ装置３は、
１．サーバ５とのストリーミングセッションと、
２．端末１から来るＲＴＳＰメッセージと、不連続なトラフィック配信のための特異性の両方を考慮するアルゴリズムに従って、４Ｇネットワーク２を介したトランスポート接続と、を制御する。
【００３５】
たとえば、モバイル端末１によって送信される再生／再開メッセージは、サーバ５に転送されないことがあるが、４Ｇトランスポート接続上のトラフィックの中断、回復を伴い得る。実際に、モバイル端末１は、サーバ５によって現在送信されているものと比べて非常に大きく遅延してメディアを表示する可能性が高い。
【００３６】
したがって、再生／再開メッセージは、サーバ状態と適時に一貫しておらず、こうしたコマンドをサーバに適用することは意味をなさない。
【００３７】
したがって、本発明は、不連続サービスエリアネットワークに属するモバイル端末にストリーミングサービスを提供するための方法であって、前記モバイル端末１からの各ストリーミングサービス要求があると、上述の方法を使用して、前記端末１と関係ストリーミングサーバ５の間の伝送リンクまたは接続を提供することであることを特徴とする方法を提供することができる。
【００３８】
関係サービスは、たとえば、以下のタイプ、「オンデマンド」、「時間的に交互の」または「ライブイベント」のうちの１つであり得る。
【００３９】
本発明は、もちろん、本明細書で述べ示した好ましい実施形態に限定されず、本発明の範囲から逸脱せずに、変更が行われ、または等価物が使用され得る。
【図面の簡単な説明】
【００４０】
【図１】本発明による通信システムの概略機能図である。
【図２】図１のシステムに対応する本発明の通信システムの概略構造図である。
【符号の説明】
【００４１】
１  モバイル端末
２  不連続サービスエリアを有する４Ｇネットワーク
３  プロキシ装置
４  キャッシュまたはバッファ手段
５  サーバ
６、８  通信インターフェース
７  連続サービスエリアを有する３Ｇネットワーク
【図１】
2006033818.tif 000003
【図２】
2006033818.tif 000004
【外国語明細書】
2006033818.tif 000005
2006033818.tif 000006
2006033818.tif 000007
2006033818.tif 000008
2006033818.tif 000009
2006033818.tif 000010
2006033818.tif 000011
2006033818.tif 000012
2006033818.tif 000013
2006033818.tif 000014
2006033818.tif 000015
2006033818.tif 000016